【手続補正書】
【提出日】平成20年5月8日(2008.5.8)
【手続補正１】
【補正対象書類名】明細書
【補正対象項目名】特許請求の範囲
【補正方法】変更
【補正の内容】
【特許請求の範囲】
【請求項１】  所定の水平走査期間毎に、その極性が異なる画像信号を出力する画像信号出力手段と、
前記画像信号が出力される画像信号配線と、
走査信号を出力する走査信号出力手段と、
前記画像信号配線と互いに交差して、複数の格子領域を形成する走査信号配線と、
前記複数の格子領域上にそれぞれ配置された、前記走査信号配線からの走査信号をスイッチとして、前記画像信号配線から前記画像信号の入力を受ける半導体スイッチング素子と、
前記複数の格子領域上にマトリックス状に配置された、前記半導体スイッチング素子を介して、前記画像信号配線から供給される信号を表示材料に印加するための画素電極と、
前記画像信号配線に接続され、Ｎ（Ｎ：Ｎ＞１である整数）番目の走査信号配線に対する水平走査期間と、Ｎ＋１番目の走査信号配線に対する水平走査期間との間に、前記Ｎ＋１番目の走査信号配線に出力される画像信号の極性と同極性であって、所定のレベルを有するプリチャージ信号を、前記Ｎ＋１番目の走査信号配線に対し出力するプリチャージ信号出力手段とを備え、
前記プリチャージ信号出力手段は、Ｎ−ｍ番目またはＮ＋ｎ番目（ｍ：Ｎ＞ｍ＞０を満たす整数、ｎ：ｎ＞１である整数）の走査信号配線に対する前記画像信号のレベルに基づき、前記プリチャージ信号の前記所定のレベルを決定する画像表示装置。
【請求項２】  前記プリチャージ信号の前記所定のレベルは、前記Ｎ＋１番目の走査信号配線に対する前記画像信号のレベルに基づき決定され、
前記画像信号出力手段は、外部から入力される、前記Ｎ＋１番目の走査信号配線に対する前記画像信号を、前記所定のレベルを決定するまでの時間を確保できるように保持する画像信号保持手段を有する請求項１に記載の画像表示装置。
【請求項３】  前記プリチャージ信号出力手段は、
前記Ｎ番目の走査信号配線に対する水平走査期間における画像信号のレベルを加算していく加算回路と、
加算されたレベルからその平均値を求める平均化回路と、
複数のプリチャージ信号のレベルの電圧を発生させるプリチャージレベル電圧回路と、
前記平均化回路から出力された平均値の電圧とプリチャージレベル電圧回路から出力された複数の電圧を比較して、前記複数の電圧から、前記平均値の電圧に最も近いレベルを選択する出力レベル選択回路とを備えた請求項１に記載の画像表示装置。
【請求項４】  所定の水平走査期間毎に、その極性が異なる画像信号を出力する画像信号出力手段と、
前記画像信号が出力される画像信号配線と、
走査信号を出力する走査信号出力手段と、
前記画像信号配線と互いに交差して、複数の格子領域を形成する走査信号配線と、
前記複数の格子領域上にそれぞれ配置された、前記走査信号配線からの走査信号をスイッチとして、前記画像信号配線から前記画像信号の入力を受ける半導体スイッチング素子と、
前記複数の格子領域上にマトリックス状に配置された、前記半導体スイッチング素子を介して、前記画像信号配線から供給される信号を表示材料に印加するための画素電極とを備えた画像表示装置の画像表示方法であって、
前記画像信号配線に接続され、Ｎ（Ｎ：Ｎ＞１である整数）番目の走査信号配線に対する水平走査期間と、Ｎ＋１番目の走査信号配線に対する水平走査期間との間に、前記Ｎ＋１番目の走査信号配線に出力される画像信号の極性と同極性であって、所定のレベルを有するプリチャージ信号を、前記Ｎ＋１番目の走査信号配線に対し出力するプリチャージ信号出力工程を備え、
前記プリチャージ信号出力工程は、Ｎ−ｍ番目またはＮ＋ｎ番目（ｍ：Ｎ＞ｍ＞０を満たす整数、ｎ：ｎ＞１である整数）の走査信号配線に対する前記画像信号のレベルに基づき、前記プリチャージ信号の前記所定のレベルを決定する画像表示方法。
【手続補正２】
【補正対象書類名】明細書
【補正対象項目名】０００１
【補正方法】変更
【補正の内容】
【０００１】
【発明の属する技術分野】
本発明は薄膜トランジスタ（以下ＴＦＴと呼ぶ）等のスイッチング素子を用いサンプルホールド回路を構成し、前記のスイッチング素子と画素電極とをマトリクス状に有するアクティブマトリクスを用いて、液晶などの表示材料を交流駆動して画像表示を行う表示装置の駆動方法に関して、画素電極に書きこまれた画像信号の表示画面内均一性の向上を目的とした表示装置に関する。
【手続補正３】
【補正対象書類名】明細書
【補正対象項目名】０００４
【補正方法】変更
【補正の内容】
【０００４】
図７は従来の駆動回路内蔵型アクティブマトリクス液晶表示装置（以下、液晶表示装置）の回路ブロック図を示すものである。図７において、１は水平側転送回路を構成するシフトレジスタ回路、２はシフトレジスタ回路１から出力されたタイミングパルスにて映像信号をサンプリングする為のサンプルホールド回路である。３は画像信号配線に接続されたプリチャージ回路、また４はシフトレジスタ回路、５は垂直走査パルス出力バッファ回路であり、シフトレジスタ回路４と垂直走査パルス出力バッファ回路とで垂直側転送回路を構成する。６は、サンプルホールド回路２およびプリチャージ回路３と接続する複数の画像信号配線と、垂直出力バッファ５と接続する複数の走査信号配線と、画像信号配線と走査信号配線との交点にそれぞれ設けられた、走査信号配線からの入力をスイッチとして画像信号の入力を受けるＴＦＴ等により構成された、アクティブマトリクス型の画素ＴＦＴ表示領域を示している。さらに液晶表示装置の周辺の駆動回路として、７は映像信号を増幅して交流反転する為の交流反転増幅回路、８はプリチャージ回路３に入力する信号を発生させるプリチャージ信号発生回路、９は液晶表示装置のクロック信号等を発生させるタイミングジェネレータを示している。
【手続補正４】
【補正対象書類名】明細書
【補正対象項目名】０００７
【補正方法】変更
【補正の内容】
【０００７】
次に水平転送回路および垂直転送回路を動作するために、タイミングジェネレータ９で発生した転送クロックパルスはＴＦＴで構成されたシフトレジスタ回路１、４へそれぞれ入力されパルス転送が行われる。垂直側転送回路のシフトレジスタ４からは垂直走査パルスが出力され、垂直出力バッファ回路５を通じて画素ＴＦＴ表示領域６の走査電極へ印加される。
【手続補正５】
【補正対象書類名】明細書
【補正対象項目名】０００８
【補正方法】変更
【補正の内容】
【０００８】
水平側転送回路のシフトレジスタ回路１の出力はサンプルホールド回路２内のゲート電極へ印加され、液晶表示装置周辺の交流反転増幅回路７にて、水平走査期間毎にその極性を異ならせるように発生させた映像信号をサンプリングして画素ＴＦＴ表示領域６の画像信号配線に、供給する。
【手続補正６】
【補正対象書類名】明細書
【補正対象項目名】００１５
【補正方法】変更
【補正の内容】
【００１５】
プリチャージ回路３から入力するプリチャージ信号は、この充電能力差を補正するためのものであり、図１２に示すように、このプリチャージ信号Ｖｐｃｈを画像信号線に印加することにより、一度プリチャージ信号Ｖｐｃｈによって画像信号線の電位をＶｐまで上昇させておき、その後充電期間Ｔｇｏｎ１で、画素電圧をＶｂまで充電させる。Ａ，Ｂが充電期間Ｔｇｏｎ１の時間でソース電圧Ｖｓから黒電圧Ｖｂまで充電しなければならないのに対して、Ｃのように一度Ｖｐまで充電しておくことにより、画素電圧はＶｐｃｈからＶｂまで充電すればよく、画像信号線毎の充電能力のバラツキを補正して、表示画面を均一化して表示することができる。
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００３０
【補正方法】変更
【補正の内容】
【００３０】
これらの表示要素には、周辺の駆動回路から入力される駆動信号として、タイミングジェネレータ１８で発生された転送クロックが入力し、また１Ｈラインメモリー回路１９を経由して交流反転・増幅回路１６で発生された液晶駆動用映像信号がサンプルホールド回路１１に入力し、これより画像信号線に映像信号として、水平走査期間毎にその極性が異なるように出力される。また、プリチャージレベル検出回路２０を経由して外部から入力された映像信号レベルに対応して、プリチャージ信号発生回路１７が生成したプリチャージ信号がプリチャージ回路１２に入力する。
【手続補正１０】
【補正対象書類名】明細書
【補正対象項目名】００４０
【補正方法】変更
【補正の内容】
【００４０】
図３に示すプリチャージレベル検出回路２０において、４２は入力された映像信号４１を１水平走査期間にわたって加算していくための加算回路、４３は加算回路４２で得られた加算信号の平均値を求めるデータレベル平均化回路、４４はプリチャージ信号発生回路１７に送出するいくつかのプリチャージ信号電圧を発生するプリチャージレベル電圧回路、４５はデータレベル平均化回路４３で得られた映像信号の平均値（平均電圧）とプリチャージレベル電圧回路４４を比較し、上記平均電圧にもっとも近い電圧もしくは一致した電圧レベルを選択、出力する出力レベル選択回路である。
【手続補正１１】
【補正対象書類名】明細書
【補正対象項目名】００４１
【補正方法】変更
【補正の内容】
【００４１】
このような構成を有する本実施の形態について、以下に説明を行う。ただし、実施の形態１と同様の点は簡潔に述べて、プリチャージレベル検出回路２０の各部の具体的な動作と作成されるプリチャージ信号について、図４を参照しながらより詳しく説明する。
【手続補正１２】
【補正対象書類名】明細書
【補正対象項目名】００４２
【補正方法】変更
【補正の内容】
【００４２】
図４は、本実施の形態におけるプリチャージ信号を用いた場合における水平走査期間の動作タイミングと実際に画素に書き込まれる電圧との関係を示したものである。ここで、ＣＨＫはサンプルホールド回路１１を順次走査するためのクロック信号、ＡＷＰはプリチャージ信号を供給するための制御信号、Ｖｓｉｇは映像信号、Ｖｐｃｈ１はプリチャージ信号、Ｖｓはソースセンター電圧を示す。
【手続補正１３】
【補正対象書類名】明細書
【補正対象項目名】００４４
【補正方法】変更
【補正の内容】
【００４４】
次に、実際のプリチャージ信号Ｖｐｃｈ１の作成方法についてより詳細に述べる。まず、ＬＣＤにある（Ｎ＋１）番目の水平走査期間映像信号を表示させるタイミングに対して、１水平走査期間前、すなわちＮ番目の水平走査期間の映像信号４１が、加算回路４２に入力される。加算回路４２は１水平走査期間にわたって順次映像信号を加算する。
【手続補正１４】
【補正対象書類名】明細書
【補正対象項目名】００４５
【補正方法】変更
【補正の内容】
【００４５】
この場合１ラインすべてに黒を表示させるので、黒に対応した映像信号４１が画像信号線の本数分加算される。加算されたデータは、データレベル平均化回路４３に入力され、そこで画像信号本数分のデータの平均値が計算される。本実施の形態では表示データはすべて黒データであるので、平均値も黒データに一致する。
【手続補正１５】
【補正対象書類名】明細書
【補正対象項目名】００４６
【補正方法】変更
【補正の内容】
【００４６】
次に、平均化された映像信号は、出力レベル選択回路４５に入力される。一方、プリチャージレベル電圧回路４４では、あらかじめ白電圧から黒電圧間の電圧を分圧して、いくつかのリファレンス電圧が作成されている。出力レベル選択回路４５では、入力された平均値データと複数のプリチャージレベル電圧を比較参照し、上記平均値（平均電圧）にもっとも近いリファレンス電圧もしくは一致したリファレンス電圧を選択し、プリチャージ信号発生回路１７に出力する。
【手続補正１６】
【補正対象書類名】明細書
【補正対象項目名】００５２
【補正方法】変更
【補正の内容】
【００５２】
また、図５は本発明の実施の形態におけるプリチャージ回路構成を用いた場合における水平走査期間の動作タイミングと実際に画素に書き込まれる電圧との関係を示したものである。ここで、ＣＨＫはサンプルホールド回路１１を順次走査するためのクロック信号、ＡＷＰはプリチャージ信号を供給するための制御信号、Ｖｓｉｇは映像信号、Ｖｐｃｈ２はプリチャージ信号、Ｖｓはソースセンター電圧を示す。また、Ｔａｗｐは、プリチャージ信号Ｖｐｃｈ２が印加される期間を示しており、ＡＷＰが”Ｈ”の期間Ｔａｗｐにアクティブとなる。またＴｇｏｎ１は１画素の充電期間を示している。
【手続補正１７】
【補正対象書類名】明細書
【補正対象項目名】００５４
【補正方法】変更
【補正の内容】
【００５４】
次に、実際のプリチャージ信号Ｖｐｃｈ２の作成方法について図５を参照してより詳細に述べる。まず、ＬＣＤにある（Ｎ＋１）番目の水平走査期間映像信号を表示させるタイミングに対して、１水平走査期間前、すなわちＮ番目の水平走査期間の映像信号４１が、加算回路４２に入力される。加算回路４２は１水平走査期間にわたって順次映像信号を加算する。
【手続補正１８】
【補正対象書類名】明細書
【補正対象項目名】００５５
【補正方法】変更
【補正の内容】
【００５５】
この場合１ラインすべてに白を表示させるので、白を示す映像信号４１が画像信号線の本数分加算される。
【手続補正１９】
【補正対象書類名】明細書
【補正対象項目名】００５６
【補正方法】変更
【補正の内容】
【００５６】
次に加算されたデータは、データレベル平均化回路４３に入力され、そこで画像信号本数分のデータの平均値が計算される。本実施の形態では表示データはすべて白データであるので、この平均値も白データに一致する。
【手続補正２０】
【補正対象書類名】明細書
【補正対象項目名】００５７
【補正方法】変更
【補正の内容】
【００５７】
次に、平均化された映像信号は出力レベル選択回路４５に入力される。これとは別にプリチャージレベル電圧回路４４では、あらかじめ白電圧から黒電圧間の電圧を分圧して、複数のリファレンス電圧が作成されている。出力レベル選択回路４５では、入力された平均値データと複数のプリチャージレベル電圧を比較参照し、上記平均値（平均電圧）にもっとも近いリファレンス電圧もしくは一致したリファレンス電圧を選択し、プリチャージ信号発生回路１７に出力する。
【手続補正２１】
【補正対象書類名】明細書
【補正対象項目名】００６２
【補正方法】変更
【補正の内容】
【００６２】
（実施の形態４）
本実施の形態におけるプリチャージレベル検出回路２０の構成は、実施の形態２と同様なので、説明には図３を用い、詳細は省略する。
【手続補正２２】
【補正対象書類名】明細書
【補正対象項目名】００６３
【補正方法】変更
【補正の内容】
【００６３】
また、図６は本発明の実施の形態におけるプリチャージ回路構成を用いた場合における水平走査期間の動作タイミングと実際に画素に書き込まれる電圧との関係を示したものである。ここで、ＣＨＫはサンプルホールド回路１１を順次走査するためのクロック信号、ＡＷＰはプリチャージ信号を供給するための制御信号、Ｖｓｉｇは映像信号、Ｖｐｃｈ３はプリチャージ信号、Ｖｓはソースセンター電圧を示す。また、Ｔａｗｐは、プリチャージ信号Ｖｐｃｈ３が印加される期間を示しており、ＡＷＰが”Ｈ”の期間Ｔａｗｐにアクティブとなる。またＴｇｏｎ１は１画素の充電期間を示している。液晶表示装置は点順次走査を行うので、Ｔｇｏｎ１期間でトランスファゲート５５の１つがオン状態になり、この間指定された画素に映像信号Ｖｓｉｇが書き込まれる。また、本実施の形態では映像信号は白電圧Ｖｗ＋から黒電圧Ｖｂ＋までの電圧範囲内でランダムな信号電圧を書き込むものとする。従ってＶｓｉｇはソースセンターＶｓに対して１水平走査期間内にＶｗ＋からＶｂ＋の範囲でランダムに変化する。
【手続補正２３】
【補正対象書類名】明細書
【補正対象項目名】００６４
【補正方法】変更
【補正の内容】
【００６４】
次に、実際のプリチャージ信号Ｖｐｃｈ３の作成方法について図６を参照してより詳細に述べる。まず、ＬＣＤにある（Ｎ＋１）番目の水平走査期間映像信号を表示させるタイミングに対して、１水平走査期間前、すなわちＮ番目の水平走査期間の映像信号４１が、加算回路４２に入力される。加算回路４２は１水平走査期間にわたって順次映像信号を加算する。
【手続補正２４】
【補正対象書類名】明細書
【補正対象項目名】００６６
【補正方法】変更
【補正の内容】
【００６６】
加算されたデータは、データレベル平均化回路４３に入力され、そこで３２０個のデータの平均値が計算される。表示データはランダムであるので、平均値はある中間調の電圧レベルに設定される。
【手続補正２５】
【補正対象書類名】明細書
【補正対象項目名】００６７
【補正方法】変更
【補正の内容】
【００６７】
次に、平均化された表示データは出力レベル選択回路４５に入力される。これとは別にプリチャージレベル電圧回路４４では、あらかじめ白電圧から黒電圧間の電圧を分圧して、複数のリファレンス電圧が作成されている。出力レベル選択回路４５では、入力された平均値データと複数のプリチャージレベル電圧を比較参照し、上記平均値（平均電圧）にもっとも近いリファレンス電圧もしくは一致したリファレンス電圧を選択し、プリチャージ信号発生回路１７に出力する。
【手続補正２６】
【補正対象書類名】明細書
【補正対象項目名】００７１
【補正方法】変更
【補正の内容】
【００７１】
なお、上記の各実施の形態において、１Ｈラインメモリー１９を省いた構成、すなわち、プリチャージレベル検出回路２０に入力された画像信号と、同回路にて決定されたプリチャージレベルの信号が入力された後のタイミングでＬＣＤに入力する画像信号が異なる場合でも、プリチャージレベルと映像信号レベルとの差は映像信号が１水平走査期間内に大きく変化した場合に限られる為、概ね画質の改善効果は見られる。したがって、１Ｈラインメモリー１９は省いた構成として実現しても良い。
【手続補正２７】
【補正対象書類名】明細書
【補正対象項目名】００７４
【補正方法】変更
【補正の内容】
【００７４】
なお、上記の各実施の形態において、タイミングジェネレータ１８，交流反転・増幅回路１６，シフトレジスタ１０、サンプルホールド回路１１およびトランスファゲート５５は、本発明の画像信号出力手段の一例であり、画像信号線は本発明の画像信号配線の一例であり、タイミングジェネレータ１８，シフトレジスタ１３、垂直出力バッファ１４は、本発明の走査信号出力手段の一例であり、走査信号線は本発明の走査信号配線の一例であり、画素ＴＦＴ表示領域１５は、本発明の半導体スイッチング素子および画素電極の一例であり、プリチャージレベル検出回路２０，プリチャージ信号発生回路１７およびプリチャージ回路１２およびトランスファゲート５６は本発明のプリチャージ信号出力手段の一例である。また、１Ｈラインメモリー１９は、本発明の画像信号保持手段の一例である。
【手続補正２８】
【補正対象書類名】明細書
【補正対象項目名】００７５
【補正方法】変更
【補正の内容】
【００７５】
また、本発明に関連する発明は、上述した本発明の画像表示装置の全部又は一部の手段（又は、装置、素子、回路、部等）の機能をコンピュータにより実行させるためのプログラムであって、コンピュータと協働して動作するプログラムである。
【手続補正２９】
【補正対象書類名】明細書
【補正対象項目名】００７６
【補正方法】変更
【補正の内容】
【００７６】
また、本発明に関連する発明は、上述した本発明の画像表示方法の全部又は一部のステップ（又は、工程、動作、作用等）の動作をコンピュータにより実行させるためのプログラムであって、コンピュータと協働して動作するプログラムである。
【手続補正３０】
【補正対象書類名】明細書
【補正対象項目名】００７８
【補正方法】変更
【補正の内容】
【００７８】
また、本発明に関連する発明のプログラムを記録した、コンピュータに読みとり可能な記録媒体も本発明に関連する発明に含まれる。
【手続補正３１】
【補正対象書類名】明細書
【補正対象項目名】００７９
【補正方法】変更
【補正の内容】
【００７９】
また、本発明に関連する発明のプログラムの一利用形態は、コンピュータにより読み取り可能な記録媒体に記録され、コンピュータと協働して動作する態様であっても良い。
【手続補正３２】
【補正対象書類名】明細書
【補正対象項目名】００８０
【補正方法】変更
【補正の内容】
【００８０】
また、本発明に関連する発明のプログラムの一利用形態は、伝送媒体中を伝送し、コンピュータにより読みとられ、コンピュータと協働して動作する態様であっても良い。
【手続補正３３】
【補正対象書類名】明細書
【補正対象項目名】００８１
【補正方法】削除
【補正の内容】
【手続補正３４】
【補正対象書類名】明細書
【補正対象項目名】００８３
【補正方法】変更
【補正の内容】
【００８３】
また、上述した本発明に関連する発明のコンピュータは、ＣＰＵ等の純然たるハードウェアに限らず、ファームウェアや、ＯＳ、更に周辺機器を含むものであっても良い。
【手続補正３５】
【補正対象書類名】明細書
【補正対象項目名】００８４
【補正方法】変更
【補正の内容】
【００８４】
なお、以上説明した様に、本発明に関連する発明の構成は、ソフトウェア的に実現しても良いし、ハードウェア的に実現しても良い。
【手続補正３６】
【補正対象書類名】明細書
【補正対象項目名】符号の説明
【補正方法】変更
【補正の内容】
【符号の説明】
１、４、１０、１３  シフトレジスタ回路
２、１１  サンプルホールド回路
３、１２  プリチャージ回路
５、１４  垂直出力バッファ回路
６、１５  画素ＴＦＴ表示領域
７、１６  交流反転・増幅回路
８、１７  プリチャージ信号発生回路
９、１８  タイミングジェネレータ
１９  映像信号の１Ｈラインメモリー回路
２０  プリチャージレベル検出回路
４２  加算回路
４３  データレベル平均化回路
４４  プリチャージレベル電圧発生回路
４５  出力レベル選択回路
【手続補正３７】
【補正対象書類名】図面
【補正対象項目名】図１
【補正方法】変更
【補正の内容】
【図１】
2002351427.tif 000001